(57)【要約】収容ケース１０は、所定ピッチで配列されたポケット６０に物品を封止した円盤状のパッケージ６と、パッケージを収容する上ケース２及び下ケース４と、所定のポケット６０を指で押し潰すとともに、パッケージを回転させるために上ケースに形成された開口（押圧口）１２と、ポケット６０から押し出された物品を収容ケースから排出するために押圧口に対応して下ケースに形成された排出口とを備える。収容ケース１０はポケットを開口中心に位置決めるための開口１２の開き角と位置決め部材を有する。
2012133357.tif 000002
【特許請求の範囲】
【請求項１】
パッケージを収容する収容ケースであって、
回転中心を有し、該回転中心の周りに所定ピッチで配列されたポケットに物品を収容して破断可能なフィルムで該ポケットを封止したパッケージと、
前記パッケージを収容する上ケース及び下ケースと、
前記上ケース及び前記下ケースを開閉可能に接続する接続部と、
前記収容ケースに収容されたパッケージの所定のポケットを指で押圧するために上ケースに形成された押圧口と、
前記所定のポケットから押し出された物品を収容ケースから排出するために押圧口に対応して下ケースに形成された排出口と、
前記ポケットに指で接してパッケージを回転させるために上ケースに形成され、且つ前記排出口よりも大きな開口とを備える収容ケース。
【請求項２】
前記開口の周方向の開き角が、少なくとも前記所定ピッチに対応する開き角以上であることを特徴とする請求項１に記載の収容ケース。
【請求項３】
前記開口の周方向の開き角θは、下記式：
２α−β≦θ≦２α  
（式中、αはピッチに対応する開き角、β／２はポケットの半径に対応する開き角である）を満たすことを特徴とする請求項１に記載の収容ケース。
【請求項４】
前記ポケットに接触して記ポケットを前記排出口に対応する所定位置に位置付けるための位置決め部材が上ケースまたは下ケースに設けられていることを特徴とする請求項１〜３のいずれか一項に記載の収容ケース。
【請求項５】
前記ポケットが弾性変形可能な材料から形成されており、前記位置決め部材は、パッケージが回転されたときに、前記ポケットが前記所定位置に達するまでポケットを付勢するように上ケースまたは下ケースに位置付けられていることを特徴とする請求項４に記載の収容ケース。
【請求項６】
前記位置決め部材は、上ケースの内面の中央に設けられ、周方向に複数の切り欠きが形成された円形部材であることを特徴とする請求項５に記載の収容ケース。
【請求項７】
前記位置決め部材は、上ケースの内側面に、上ケースの中央に向かって突出した設けられた隆起部であることを特徴とする請求項５に記載の収容ケース。
【請求項８】
前記位置決め部材は、上ケースの外周部から中央に向かって延在する弾性変形可能な薄板状部材であり、パッケージが回転されたときに薄板状部材の先端が前記ポケットを付勢することを特徴とする請求項５に記載の収容ケース。
【請求項９】
前記位置決め部材は、下ケースの底面に突出した設けられた突起であり、パッケージに切り欠きまたは孔が形成されており、突起がパッケージの切り欠きまたは孔と係合することを特徴とする請求項５に記載の収容ケース。
【請求項１０】
前記開口が扇形であり、扇形の半径部分は、パッケージが回転されるときの停止位置を規定することを特徴する請求項１〜９のいずれか一項に記載の収容ケース。
【請求項１１】
前記開口が前記押圧口と共通であり、前記開口を通じてパッケージが回転され、前記開口の周方向中央に位置するポケットが押圧されて排出口から取り出されることを特徴する請求項１〜１０のいずれか一項に記載の収容ケース。
【請求項１２】
前記開口の中心と前記押圧口の中心とは、周方向にピッチの整数倍離れて形成されていることを特徴する請求項１〜１０のいずれか一項に記載の収容ケース。
【請求項１３】
前記下ケースの排出口を画成する下ケースの内面が上ケースに向かって筒状に隆起している請求項１〜１２のいずれか一項に記載の収容ケース。
【請求項１４】
６個のポケットが６０°角度を隔てて周方向に配列しており、前記開口の中央に押圧口が存在し、開口の開き角が９０°〜１２０°の範囲内の角度である請求項５〜１０のいずれか一項に記載の収容ケース。
【請求項１５】
前記物品が、医薬品、食品、化粧品または化学品である請求項１〜１４のいずれか一項に記載の収容ケース。
【発明の詳細な説明】
【技術分野】
【０００１】
本発明は、パッケージを収容すると共にパッケージに封止された錠剤のような物品をパッケージから一つずつ容易に取り出すことができるケースに関する。
【背景技術】
【０００２】
トローチのような錠剤は、従来、ＰＴＰ（プレススルーパック）のようなアルミニウムとプラスチックからなる防湿性の多層フィルムで形成されたパッケージに封止されて収容されている。このようなＰＴＰには、錠剤を一つずつ収容するために錠剤よりもわずかに大きく成形されたポケットが設けられ、使用者はポケットを押し潰すことでポケットを覆うフィルムを破って錠剤を取り出すことができる。【０００３】
このようなＰＴＰは、フィルムの縁部が薄く鋭利であるために、取り扱いに注意を要する。また、ポケットを覆うフィルムは比較的薄いために不意に接触すると破れて錠剤が外気に曝されることになる。また、ＰＴＰの外観は、薬剤や病気のイメージを抱かせる。ＰＴＰに収容された錠剤は定期的に服用する必要があり、ＰＴＰを携帯する必要性もある。このような事情から、ＰＴＰを収容する好適な携帯用ケースが望まれる。【０００４】
下記特許文献１には、基材シートの表面に昇華性物質からなる固形剤を収納した収納ドーム部が複数設けられたＰＴＰ包装体を収容するケースが開示されている。このケースは、ＰＴＰ包装体の基材シートを、その裏面側から挟む第１挟持プレートと表面側から挟む第２挟持プレートとを備える。第２挟持プレートに形成された貫通孔に、第２挟持プレートの表面の収納ドーム部を挿入した状態で、両挟持プレートによりＰＴＰ包装体を挟み込み、この突出した収納ドーム部を押圧して基材シートの一部を破断させ、収納ドーム部内の固形剤を、第１挟持プレートに形成された貫通孔を通過させて固形剤収納空間内に落とし込むことができる。このケースは、持ち歩きにも好適であり、人目のある場所でも違和感なく使用することができるとされている。【０００５】
下記特許文献２には、周期的な表示を有する回転可能な実質的に円形の一方向ノブを備えた錠剤ディスペンサーが開示されている。錠剤ディスペンサーは、複数のノッチを有するスカートにより囲まれ且つ中心軸手段の周囲を回転可能な円形ノブと、単一錠剤分配用開口を有する実質的に平坦な支持体と、ノッチ付きスカートと係合し且つ潰れ得る錠剤ポケットを有する錠剤包装１９とを、カバーとベース間に収容して備える。ノブの頂面には、錠剤ポケットの数に相当した投薬日が錠剤ポケットに配置された錠剤及びラチェット位置の双方と揃うようにして印字されている。ノブを回転させて開口と揃ったポケットを潰しこれにより錠剤を強制して開口を通過させることにより錠剤が包装から分配される。
【先行技術文献】
【特許文献】
【０００６】
【特許文献１】特開２００７−２６１６１４号公報
【特許文献２】特開平８−５８８５８号公報
【発明の概要】
【発明が解決しようとする課題】
【０００７】
しかし、特許文献１のケースは、ケース内部に２つの挟持プレートを配置する必要があり、固形剤の取り出しも容易ではない。また、特許文献２のディスペンサーは、中心軸手段に支持されたノブを回転することで錠剤包装を回転させており、複雑な機構を必要とし、ディスペンサー全体も嵩張る。それゆえ、時代に合った、より携帯性に優れたコンパクトで薄型のケースが要望されている。また、錠剤に限らず、キャンディやガムのような食品であっても、携帯に便利で、一回分ずつ取り出せる保存容器があると便利である。【０００８】
本発明の目的は、上記課題を解決して、ケースに収容されたパッケージから物品を容易に取り出すことができるとともに、携帯性に優れ、薄型でコンパクトなパッケージ用の収容ケースを提供することにある。
【課題を解決するための手段】
【０００９】
本発明に従えば、パッケージを収容する収容ケースであって、回転中心を有し、該回転中心の周りに所定ピッチで配列されたポケットにを収容して破断可能なフィルムで該ポケットを封止したパッケージと、前記パッケージを収容する上ケース及び下ケースと、前記上ケース及び前記下ケースを開閉可能に接続する接続部と、前記収容ケースに収容されたパッケージの所定のポケットを指で押圧するために上ケースに形成された押圧口と、前記所定のポケットから押し出されたを収容ケースから排出するために押圧口に対応して下ケースに形成された排出口と、前記ポケットに指で接してパッケージを回転させるために上ケースに形成され且つ前記排出口よりも大きな開口とを備える収容ケースが提供される。【００１０】
前記収容ケースの前記開口の周方向の開き角は、少なくとも前記所定ピッチに対応する開き角以上にしてよく、前記開口の周方向の開き角θは、下記式：２α−β≦θ≦２α  
（式中、αはピッチに対応する開き角、β／２はポケットの半径に対応する開き角である）を満たすことが望ましい。前記開口が上記式の開き角θを満たすことで開口を画成する側辺部が回転規制部として作用する。これにより、ユーザの指が開口を画成する側辺部に当接して回転が終了したときに、次の入りポケットが排出口に対応する位置に位置決され得る。【００１１】
前記収容ケースの前記ポケットに接触して記ポケットを前記排出口に対応する所定位置に位置付けるための位置決め部材が上ケースまたは下ケースに設けられていてもよい。前記ポケットは、弾性変形可能な材料から形成されてよく、前記位置決め部材は、パッケージが回転されたときに、前記ポケットが前記所定位置に達するまでポケットを付勢するように上ケースまたは下ケースに位置付けられていてもよい。ポケットの弾性力を利用してポケットを位置決め部材に対して所定の位置に位置決めすることができる。【００１２】
前記位置決め部材は、上ケースの内面の中央に設けられ、周方向に複数の切り欠きが形成された円形部材になり得る。あるいは、前記位置決め部材は、上ケースの内側面に、上ケースの中央に向かって突出した設けられた隆起部であってもよい。あるいは、前記位置決め部材は、上ケースの外周部から中央に向かって延在する弾性変形可能な薄板状部材であり、パッケージが回転されたときに薄板状部材の先端が前記ポケットを付勢してもよい。あるいは、前記位置決め部材は、下ケースの底面に突出した設けられた突起であり、パッケージに切り欠きまたは孔が形成されており、突起がパッケージの切り欠きまたは孔と係合するように構成されていてもよい。【００１３】
前記収容ケースにおいて、前記開口が扇形であり、扇形の半径部分は、パッケージが回転されるときの停止位置を規定してもよい。【００１４】
前記収容ケースにおいて、前記開口が前記押圧口と共通であり、前記開口を通じてパッケージが回転され、前記開口の周方向中央に位置するポケットが押圧されて排出口から取り出されてもよい。これにより、ユーザの取り出し操作が一層分かりやすく容易となる。また、この特徴によりケースのユニバーサルデザインを構築できる。【００１５】
前記収容ケースの前記開口と前記押圧口が別々に設けられている場合には、前記開口の中心と前記押圧口の中心とは、周方向にピッチの整数倍離れて形成し得る。また、前記下ケースの排出口を画成する下ケースの内面が上ケースに向かって筒状に隆起していることで、ポケットを潰す際に、押圧力をかけやすくなる。【００１６】
本発明の具体例に従い、前記収容ケースにおいて、６個のポケットが６０°角度を隔てて周方向に配列しており、前記開口の中央に押圧口が存在し、開口の開き角が９０°〜１２０°の範囲内の角度にし得る。ポケットに収容される物品は、医薬品、化粧品、食品または化学品でもよい。
【発明の効果】
【００１７】
（１）本発明のケースは、物品をパッケージから取り出す際に、ケースを開放することなく、押圧口及び排出口を通じて物品を容易に取り出すことができる。それゆえ、不用意にパッケージに接触してパッケージを破損する恐れがなく、パッケージを保護及び携帯するのに好適である。錠剤のような医薬品、化粧品、食品、化学品など一回分づつ取り出して使用する物品の携帯、保存及び供給に好適なケースとなる。
（２）使用一回分の物品を取り出した後、ユーザは指で上ケースの開口を通じてパッケージを回転することにより、次の物品入りポケットに容易にアクセスすることができる。このため特別な回転機構を設ける必要がなく、携帯に適した薄型でコンパクトな構造を実現している。
（３）開口の周方向長さを所定の範囲にして指の回転動作の終了位置を規制することにより、次の物品入りポケットを排出口に面する位置に位置付けることができる。それゆえ、パッケージの回転動作に続いてすぐにポケットを押圧して物品を排出する動作を行うことができる。
（４）複雑な構造や付属部材を用いることなく、ポケットの弾性力を利用してポケットの位置決めが実現されており、パッケージの回転や交換の際、錠剤ポケットが押圧口及び排出口に対応する位置に自動的に位置付けられることができる。
【図面の簡単な説明】
【００１８】
【図１】本発明の実施形態に従うパッケージの収容ケースの外観を示す斜視図である。
【図２】収容ケースの上ケースを下ケースに対して１８０度で開放した状態のケース外側を示す平面図である。
【図３】収容ケースの上ケースを下ケースに対して１８０度で開放した状態のケース内側を示す平面図である。
【図４】図３に示したケースのIV−IV方向から見た断面図である。
【図５】図１に示した開放状態のケースの斜視図である。
【図６】図６（Ａ）は、円盤状のパッケージの平面図であり、図６（Ｂ）は図６（Ａ）のVIB−VIB方向から見た断面図である。
【図７】開放状態のケースの下ケースにパッケージを配置した状態を示す図である。
【図８】パッケージが円形部材の切り欠きにより上ケースに対して位置合わせされた状態を示す概念図である。
【図９】第１実施形態の収容ケースの平面図である。
【図１０】ユーザの指によるポケットの回転移動の操作を示す図であり、図１０（Ａ）は回転開始位置を示し、図１０（Ｂ）は開口の側辺部で指の移動が規制される回転終了位置を示す。
【図１１】第２実施形態の収容ケースの上ケースを下ケースに対して１８０度で開放した状態のケース外側を示す平面図である。
【図１２】第２実施形態の収容ケースの上ケースを下ケースに対して１８０度で開放した状態のケース内側を示す平面図である。
【図１３】図１２に示した状態のケースのXIII−XIII方向から見た断面図である。
【図１４】第２実施形態の収容ケースの平面図である。
【図１５】第３実施形態の収容ケースの外観を示す斜視図である。
【図１６】第３実施形態の収容ケースの上ケースを下ケースに対して１８０度で開放した状態のケース外側を示す平面図である。
【図１７】第３実施形態の収容ケースの上ケースを下ケースに対して１８０度で開放した状態のケース内側を示す平面図である。
【図１８】図１７に示した状態のケースのXVIII−XVIII方向から見た断面図である。
【図１９】第３実施形態の収容ケースに収容されるパッケージの平面図である。
【図２０】第４実施形態の収容ケースの平面図である。
【図２１】図２１（Ａ）は第５実施形態の収容ケースの上ケースの蓋部内面を示す透視図であり、図２１（Ｂ）はXXIB−XXIB方向から見た断面図である。
【図２２】図２２（Ａ）は第６実施形態の収容ケースの上ケースの蓋部内面を示す透視図であり、図２２（Ｂ）はカンチレバーがポケットに接触してポケットが付勢される様子を示す概念図である。
【図２３】第７実施形態の収容ケースの開放状態を示す図である。
【図２４】図２３の収容ケースの下ケースをXXIV−XXIV方向から見た部分断面図である。
【図２５】８個のポケットを有するパッケージの平面図である。
【図２６】２列の環状ポケット群を有するパッケージの平面図である。
【図２７】２列の環状ポケット群を有するパッケージを収容するケースの透視平面図である。
【図２８】多角形の外形を有するパッケージの平面図である。
【図２９】異形の多角形状を有するパッケージの平面図である。
【図３０】外周の一部にオリエンテーションフラットを有する円形のパッケージの平面図である。
【図３１】ケース外形が略四角形状で、内部空間が円形状であるケースの概略平面図である。
【発明を実施するための形態】
【００１９】
＜第１実施形態＞
本発明の収容ケースのポケットに収容される「物品」とは、パッケージのポケットに収容でき且つ使用時にポケットごとに取り出して使用するのに好適な任意の物を意味し、特に、医薬品、化粧品、食品、化学品が好ましい。医薬品としては、錠剤のみならず散剤、顆粒剤、丸剤、チュアブル剤、トローチ剤、液剤、カプセル剤、半固形剤（ゼリー剤）など任意の剤形のものを含む。食品についても、キャンディやチョコレートのような固形、ジャムのような半固形、コーヒーやジュースの濃縮液などの液状のものも含む。化粧品の場合は、軟膏剤、クリーム剤、ジェル剤、液剤、散剤、錠剤、カプセル剤などの任意の形態のものを含む。化学品は、一回づつ取り出して使用する化学品が好適であり、洗浄剤やコンタクトレンズなどの樹脂製品も含み、その形態は任意である。本発明に従うパッケージを収容するケースの例を、錠剤を収容したパッケージを有するケースの実施形態により例示するが、物品は錠剤に限定されるものではない。最初に、第１実施形態を図１〜１０を参照して説明する。図１に示すように、収容ケース１０は、上ケース２及び下ケース４からなる円盤状のケース本体１と、ケース本体１に収容された円形のパッケージ（ＰＴＰともいう）６を有する。ケース本体１の上ケース２と下ケース４はそれらの外周部に設けられたヒンジ８により互いに開放可能に接続されている。パッケージ６には、物品として錠剤が入ったポケット６０が備えられており、上ケース２の開口１２から一部のポケットが露出している。
【００２０】
図２〜４に示すように、上ケース２は、平面視で中心軸Ｘ１に対して回転対称な円形の蓋部２２と蓋部２２の外周から軸方向に直立する周壁２４を有する。蓋部２２の外面２２ａは曲率を有する滑らかな曲面で形成されており、中央が外側に膨らむように湾曲している。蓋部２２には、周方向に所定角、この例では、１００度の開角で開く扇型の開口１２が形成されている。この開口１２は、ユーザがパッケージ６（のポケット）に触れて回転させるための窓として機能するとともに、所定のポケットを指で押し潰すための押圧口としても機能する。図４に示すように、上ケース２の周壁２４の上端には周壁２４の外径よりも小さい外径を有する係合部２７が形成されている。係合部２７は、下ケース４の側壁４４の内側と係合してケース１０の閉鎖状態を維持する。上ケース２の周壁２４には、開口１２の中心から上ケース２の中心軸Ｘ１の周りに９０°回転した位置にヒンジ８が結合されており、中心軸Ｘ１に関してヒンジ８と対向する周壁２２の部分に、ケースの開放を容易にするために上鍔２６が取り付けられている。
【００２１】
上ケース２の蓋部２２の内面２２ｂは、外面２２ａと同様に滑らかに湾曲しており、その中央には、花びら型の円形部材２８が内面２２ｂから直立するように軸方向に延在している。円形部材２８には、その周方向に所定間隔を隔てて５つの切り欠き２８ａが形成されている。この切り欠きは、円形部材２８の外周部と共に、パッケージ６を位置決めするように機能する。切り欠き２８ａの幅は、例えば、１．０〜２ｍｍにすることができる。一つの切り欠き２８ａは、開口１２の周方向中心と一致するように周方向に位置づけられている。円形部材２８の位置決め機能については後述する。円形部材２８は、開口１２の外形と一致するようにその一部が切断されている（図５参照）。
【００２２】
図３及び４に示したように、下ケース４は、平面視で中心軸Ｘ２に対して回転対称な円形の底部４２と底部４２の外周から軸方向に延在する周壁４４を有する。底部４２の外面４２ａは、蓋部２２の外面２２ａと同様に、曲率を有する滑らかな曲面で形成されており、全体的に外側に膨らむように湾曲している。底部４２の外面４２ａの中央はケース内側に向かって滑らかに窪んだ凹部４２ｃを形成している。周壁４４には、上ケース２の周壁２４と接続されたヒンジ８が接続されており、ヒンジ８と対向する周壁４２の部分には、上ケース２の上鍔２６と共働してケース１０の開放を容易にするために下鍔４６が取り付けられている。
【００２３】
下ケース４の内面４２ｂの中央は、外面４２ａの凹部４２ｃの形状と対応して滑らかな突出する凸部４２ｄを形成している。凸部４２ｄの頂部４２ｅは、パッケージ６の裏面中央と接触するため平坦である。下ケース４の内面４２ｂには、ヒンジ８の取り付けられた位置から中心Ｘ２の周りに反時計方向に９０度回転した位置に、錠剤を排出するための排出口１４が形成されている。排出口１４の中心は、上ケース２と下ケース４を合体してケース１０を閉鎖した状態で、上ケース２の開口１２の中心と周方向位置が一致する。排出口１４は開口１２よりも小さく、排出口１４の周方向の幅は開口１２の周方向の幅よりも短い。排出口１４は、ポケット６０よりも大きい円または楕円形状にすることができる。この実施形態では、排出口１４は中心Ｘ２の周方向を長軸とする楕円形である。排出口１４を画成する縁部は、軸方向に所定高さで隆起して隆起部４２ｆを形成している。隆起部４２ｆの上面４２ｇは、パッケージ６の裏面と接触するために平坦化されている。
【００２４】
ケース本体１に収容されるパッケージ６について、図６（Ａ）および６（Ｂ）を参照しながら説明する。パッケージ６は、円形基板６２とその上に、６つの円柱状ポケット６０が回転対称な位置に、すなわち、周方向に所定間隔を隔てて配置されている。各ポケット６０には、例えば、ポケットの直径よりもわずかに小さい直径の円盤状の錠剤、例えば、トローチが平らな面を下にして収容されている。
【００２５】
この円周上の隣り合うポケットの中心Ｏ’間の周方向距離（ピッチ）をＰ、ポケット６０の半径をＤとすると、隣接するポケット６０の周方向距離はほぼＰ−２Ｄで表される。また、隣接するポケット６０の中心間の開き角αはα＝６０°である。この例では、パッケージ６の直径は下ケース４の内周よりもわずかに小さい。パッケージ６の所寸法は任意であるが、一例を挙げると、外径７５ｍｍ、ポケット６０の直径（２Ｄ）１７ｍｍ、トローチの直径１６ｍｍであり、ポケットの中心は、パッケージ６の中心Ｏから半径２５ｍｍの円周上に位置し得る。上記のような寸法では、一つのポケットの開き角βがβ＝４０°となる。
【００２６】
パッケージ６の基板６２は、プラスチック／アルミニウム／プラスチックの３層からなる積層構造体から形成されている。ポケットは、この積層構造体の所定位置を既知の方法で吸引することで成型することができる。パッケージ６の下面６２ｂもまたプラスチック／アルミニウム／プラスチックの３層からなる積層構造体で形成されており、各ポケット６０にトローチ１００を収容した後に、ポケット６０の開口部をシールするように、上面６２ａと下面６２ｂをそれぞれ構成する積層構造体が熱溶着などにより貼り合わされる。このようにパッケージ６の上面６２ａ及び下面６２ｂの両方をアルミニウムを含む積層構造体で形成することでポケット内の気密性及び防湿性を保つことができる。積層構造体を構成するプラスチック材料は、パッケージ６の外側面を構成する材料として、ポリエチレンテレフタレート（ＰＥＴ）やナイロンが使用され、パッケージ６の外側面を構成する材料として塩化ビニル等が使用される。また、ポケット６０の上面６０ａにはユーザが指で上面６０ａを押したときに押圧力をトローチ１００の表面に集中的に伝えるために中心Ｏ’と同心の環状溝（凹部）６０ｂが形成されている。
【００２７】
ポケット６は上記のようにプラスチックを含む３層構造であるために、柔軟で弾性変形が可能である。ポケットの上部６０ａは、側面６０ｃに比べて大面積であるために、ユーザの指の押圧力により潰れ易い。側面６０ｃは、曲面であるとともに小面積であるのでその表面と直交する方向からの押圧力（付勢力）に対して上面６０ａよりも強度が高く、押圧力に対してその弾性により変形するが、押圧力が消失すると元の形状に戻る。
【００２８】
パッケージ６をケース本体１に収容するには、例えば、図７に示すように、最初に、パッケージ６を下ケース４の内面に上向きに配置する。この際、下ケース４の排出口１４の中心に対応する下ケース４の周壁４４に位置合わせマークＷを付しておき（図３参照）、このマークＷにパッケージ６のポケットの中心が一致するように、パッケージ６を下ケース４に配置することができる。あるいは、上ケース２の円形部材２８の位置決め機構を用いて、パッケージ６の基板上面６２ａを嵌め合わせてもよい。
【００２９】
ここで、円形部材２８の位置決め機構について図８を参照して説明する。円形部材２８の外径Ｌ１は、パッケージ６の中心Ｏを挟んで対向するポケット６０間の距離Ｌ２と同等か、それよりわずかに大きい。それゆえ、パッケージ６を円形部材２８上に置いて左右にわずかに回転させることで、図８に示すようにポケット６０の中心Ｏ’が円形部材２８の切り欠き２８ａの延長上に位置してパッケージ６が円形部材２８に嵌り易くなる。前述のようにポケット６０は、弾性変形が可能な材料から形成されているので、パッケージ６を円形部材２８に押し付けたときに、ポケット６０の中心Ｏ’が円形部材２８の切り欠き２８ａの延長上の位置していなくても、ポケット６０が弾性変形してパッケージ６が円形部材２８に嵌まる。この状態では円形部材２８がポケット６０の側面に付勢力を与えているが、ポケット６０の中心Ｏ’が円形部材２８の切り欠き２８ａの延長上に移動すると、この付勢力が小さくなるためにユーザはポケット６０が円形部材２８に対して位置決めされたことが分かる。
【００３０】
パッケージ６が上ケース２または下ケース４に配置された後、ヒンジ８を介して上ケース２と下ケース４を合体させる。この際、上ケース２の係合部２７が下ケース４の側壁４４の内周と係合する。こうして上ケース２と下ケース４が図１に示すように重なり合う。上ケース２と下ケース４が重なり合った状態では、図９に示すように、上ケース２の開口１２と下ケース４の排出口１４の周方向中心位置が一致しており、平面視で排出口１４は開口１２内に完全に包含される。また、上ケース２の中心軸Ｘ１と下ケース２の中心軸Ｘ２と重なり、収容ケースの回転軸Ｘとなる。この回転軸Ｘは収容されているパッケージ６の中心Ｏともほぼ一致する。
【００３１】
こうして収容ケース１０のケース本体１に、パッケージ６が収容される。ここで、前述のようにパッケージ６は上ケース２または下ケース４に位置合わせされているので、図９に示すようにポケット６０の中心が、開口の１２の中心（周方向中心）に位置している。この実施形態では、開口１２の開き角は前述のように１００°であるので、開口１２の中央に位置するポケット６０とともにその両側に位置するポケットの一部が開口１２を通じて露出している。６つのポケット６０の中心Ｏ’により描かれる円周Ｃが開口１２により分断される長さＬＬを開口１２の周方向長さとすると、開口１２の周方向長さＬＬは、ピッチＰの２倍よりもわずかに短い。
【００３２】
図１及び図９に示した収容ケース１０内のパッケージ６から錠剤を一つずつ取り出す操作を以下に説明する。図９に示すように、上ケース２の開口１２の周方向中心には一つのポケット６０の全体が現れており、その両側のポケット６０の一部だけが開口１２を通じて露出している。前述のように、図９に仮想線で示した下ケース４の排出口１４もまた開口１２に重なるように、開口１の周方向中心に位置している。ユーザは、最初に、例えば、例えば、一方の手の親指と人差し指の間にケース１０を挟んで持つ。次に、開口１２の中央に位置するポケット６０の上面６０ａに、他方の手の親指を当ててポケット６０内部に向かって押し込むと、ポケット６０の開口を覆うフィルム（パッケージ６の下面６２ｂ）が破れ、トローチが排出口１４を通じて押し出される。こうしてポケット６０内に収容されていたトローチがケース１０から取り出される。この結果、空のポケット６０が開口１２に残る。
【００３３】
次に、ユーザがトローチをケース１０から取り出すときには、空のポケット６０の隣に位置するポケット６０を開口１２に移動する。このポケット６０の回転移動の操作の一例を図１０（Ａ）及び１０（Ｂ）を参照して説明する。ユーザは、図１０（Ａ）に示すように、空のポケット６０ｅの側面（回転方向の後端）に指で触れ、次いで、図１０（Ｂ）に示すように、空のポケット６０ｅを回転方向（ここでは反時計方向）にシフトさせる。この時、扇形の開口１２を区画している半径方向に延在する側辺部１２ａ（図１０（Ａ）では左側、すなわち、回転方向前側の側辺部）に指が当たるまで空のポケット６０ｅを回転させる。この回転動作で、空のポケット６０ｅはパッケージ６とともにほぼ６０度回転するので、空のポケット６０ｅの隣に位置するトローチ入りポケット６０ｆが今度は開口１２の周方向中心に位置することになる。そして、ポケット６０ｅで行った操作と同様にしてポケット６０ｆからトローチを取り出すことができる。
【００３４】
上記のような回転動作では、空のポケット６０ｅを次のトローチ入りポケット６０ｆに置き換えるには、ポケット６０の１ピッチ分の角度でパッケージ６を回転する必要がある。このような観点から開口１２の開角及び周方向長さについて検討してみる。図１０（Ａ）に示すように、ポケット６０ｅの回転開始時はユーザの指は、ポケット６０ｅの側面（回転方向の後端）に触れる位置（線Ｍ１上）にある。この位置から１ピッチＰ分、すなわち、この例では６０度だけ回転した位置Ｍ２に開口１２の側辺部１２ａが存在すれば、側辺部１２ａが指の回転を１ピッチ分だけ規制（またはガイド）する規制部として作用する。このＭ２の位置は、回転前のポケット６０ｅの中心を通る半径線Ｍ０から（Ｐ−Ｄ）だけ周方向長さが離れた位置となる。ここで、Ｄはポケットの半径である。それゆえ、開口１２の側辺部１２ａは、線Ｍ０から反時計方向には少なくとも（Ｐ−Ｄ）の周方向長さ隔てたところに位置すると考えられる。ところで、ユーザによっては、時計方向にポケット６０ｅを回転することもあるだろうから、回転方向を特別に指定しない限り、線Ｍ０から時計方向にも同様に（Ｐ−Ｄ）の周方向長さの開口部があったほうがよい。このような観点からすれば、開口１２の周方向長さは、２（Ｐ−Ｄ）が望ましいと考えられる。
【００３５】
出願人が種々の周方向長さの開口１２を有する収容ケースを試作して複数の試験者により試験したところ、次のようなことが分かった。試験者によっては指の腹がポケット６０ｅの側面に対して斜め上方から接触するために、回転終了時には、ポケット６０ｅの側面が側辺部１２ａに達する前に、指の腹が先に側辺部１２ａに当たることが分かった。そのような場合には、開口１２の周方向長さは２（Ｐ−Ｄ）よりもわずかに、例えばポケットの半径または半径／２程度長くすることが望ましい。このような観点からすれば、開口１２の周方向長さＬＬは、下記式（１）、特には、（２）を満たすことが望ましい。
２（Ｐ−Ｄ）≦ＬＬ≦２Ｐ  ・・・（１）    
２（Ｐ−Ｄ）≦ＬＬ≦２Ｐ−Ｄ  ・・・（２）
【００３６】
開口１２の周方向長さＬＬが２（Ｐ−Ｄ）を超えていると開口１２を通じてポケット６０ｅに隣り合うポケット６０ｄ及び６０ｆのポケットが潰れているかどうかが分かるので、ユーザは回転方向を選択したり、新しいパッケージ６に交換する際に都合がよい。以上のことより、一つのポケット６０が開口１２の周方向中心に位置する場合に、隣り合うポケットの一部、好ましくはポケットの半径以下の長さの部分が、開口１２から露出するように開口１２の大きさを設定するのが望ましい。開口１２の周方向長さＬＬが２Ｐを超えると、側辺部１２ａにパッケージ６の回転終了位置を規制する作用を持たせることが困難となる。
【００３７】
上記式（１）及び（２）において、ピッチＰ及びポケットの半径Ｄは、開き角で表すと、図６に示したようにα及びβ／２となる。それゆえ、開口１２の開き角θは、下記式（３）、特には（４）を満たすことが好ましい。
２α−β≦θ≦２α  ・・・（３）
２α−β≦θ≦２α−β／２  ・・・（４）
本実施例ではα＝６０°、β＝４０°であるので、式（３）及び（４）を満たす開き角θは、８０°≦θ≦１２０°、特には、８０°≦θ≦１１０°であり、本実施形態の場合、開口１２の開き角θは１００°に設定されていたので、この開口１２の開き角（θ＝１００°）は上記（３）及び（４）のいずれの関係をも満たしていることが分かる。
【００３８】
ところで、本実施形態では、上ケース２にパッケージ６を位置決めするための円形部材２８を設けている。この円形部材２８には、切り欠き２８ａがポケットの数と同じ６箇所、周方向に形成されている。図８を参照して説明したように、一つの切り欠き２８ａは開口１２の中心の周方向位置と一致している。それゆえ、切り欠き２８ａの周方向の前後で１ピッチＰの範囲内であれば、ポケットが回転移動中に円形部材２８にポケット６０の側壁が付勢されつつも、付勢力が小さくなる所が必ず存在する。従って、パッケージ６が回転しているときは、ポケット６０は切り欠き２８ａに対応する位置に落ち着こうとする。このような作用により、ユーザの回転長が１ピッチＰから多小前後したとしても、円形部材２８のポケット６０の側壁に相対する付勢力により、ポケット６０は切り欠き２８ａに対応する開口１２の周方向中心に位置付けられようとする。すなわち、本実施形態では、ユーザがパッケージ６を回転するときに、回転開口１２の側辺部１２ａと円形部材２８が共働して、ポケット６０ｆを回転終了位置にガイドしている。
【００３９】
本実施形態では、上ケース２に円形部材２８を設けたが、円形部材２８を省略してもよい。この場合、開口１２の側辺部１２ａだけでユーザの回転終了位置を規制して、それによりポケット６０を所望の位置に置くことができる。あるいは、開口１２の寸法を上記のような位置決めの観点から設定することなく、円形部材２８だけでユーザの回転終了位置を規制して、それによりポケット６０を所望の位置に置いてもよい。
【００４０】
＜第２実施形態＞
第２実施形態のパッケージの収容ケース２０を図１１〜図１４を参照しながら説明するが、第1実施形態の収容ケース１と同様の構成及び作用についてはその説明を省略する。
【００４１】
第１実施形態では、上ケース２の外周形状は円形であったが、第２実施形態の上ケース２は、その外周縁の一部を欠いた形状を有する。すなわち、上ケース２に形成された開口２１２は、上ケース２の外周にまで至っており、上ケース２には開口２１２の半径方向外側を画成する外周枠が存在しない。このため、ユーザの指は開口２１２に対してケース２１の半径方向外側からもアクセスしてポケット６０の側壁、特に、パッケージの外周に対向しているポケット６０の側壁部分に接することができる。このような観点からすれば、回転方向を時計回りまたは反時計回りのいずれかに規制すれば（例えば、ケースの仕様書に記載したり、ケースの外面に表示を付す）、この実施形態の収容ケース２０の開口２１２の開き角は、１ピッチに対応する開き角（６０°）でも操作可能である（図１０（Ａ）の延長線Ｍ１と延長線Ｍ２の間の開口）。なお、この実施形態の開口２１２の実際の開き角は、１０５°であり、前述の式（３）または（４）を満たす範囲の開き角となっている。図１４に示すように、開口２１２の周方向中心に位置するポケット６０とその両側のポケット６０の一部が開口２１２を通じて露出している。
【００４２】
図１３に示すように、上ケース２の蓋部２２２及び下ケース４の底部２４２は、いずれも第１実施形態と異なり平板状である。それゆえ、上ケース２の外面２２２ａ及び内面２２２ｂ、並びに下ケース４の外面２４２ａ及び内面２４２ｂはいずれも平坦である。下ケース４の内面２４２ｂにはその中心Ｘ２と同軸の環状の凸部２４２ｃが形成されている。凸部２４２ｃの頂部２４２ｄは、パッケージ６の裏面と接触するため平坦であり、頂部２４２ｄは、排出口１４を区画する隆起部４２ｆの上面４２ｇとともに、パッケージ６の裏面を回転可能に支持する。
【００４３】
この実施形態の収容ケース２０も第１実施形態の収容ケース１０と同様の操作に従って、パッケージ６のポケット６０からトローチを取り出すことができ、また、パッケージ６を回転して空のポケット６０をトローチ入りのポケットに置き換えることができる。この際、開口２１２の側辺部２１２ａ及び円形部材２８が、ユーザによるパッケージ６の回転動作をアシストして開口２１２の周方向中心位置にトローチが収容されたポケットを位置付けることができる。
【００４４】
なお、下ケース４の内面２４２ｂが平坦であるので、環状の凸部２４２ｃ及び隆起部４２ｅを設けずに、パッケージ６の裏面を下ケース４の内面２４２ｂ全体で回転可能に支持してもよい。
【００４５】
＜第３実施形態＞
第３実施形態のパッケージの収容ケース３０を図１５〜図１９を参照しながら説明するが、第1実施形態の収容ケース１と同様の構成及び作用についてはその説明を省略する。
【００４６】
第１実施形態では、収容ケース１０の形状は円盤状であったが、第３実施形態の収容ケース３０は、図１５に示すように、ケース中央部を軸方向に貫通する貫通穴３４０が形成されたドーナツ形状を有する。このため、パッケージ３０６もまた、図１９に示すように、中央にパッケージ３０６の外形と同軸の開口３０８を有する。
【００４７】
貫通穴３４０を形成するために、図１６〜図１８に示すように、上ケース２の蓋部３２２の中央に開口３２４が形成されており、蓋部３２２の外面３２２ａは滑らかにカーブして開口３２４を画成している部分に接続している。開口３２４は、内面３２２ｂに設けられた円形部材２８の中央部を貫通している。開口３４４を画成する部分は直立して環状隆起部３２４ｃを形成している。下ケース４の底部３４２の中央にも開口３４４が形成され、底部３４２の外面３４２ａ及び内面３４２ｂもまた滑らかにカーブして開口３２４を画成している部分に接続している。開口３４４を画成する部分は直立して環状隆起部３４２ｃを形成している。環状隆起部３４２ｃの外径はパッケージ３０６の開口３０８よりもわずかに小さい。ユーザは、パッケージ３０６の開口３０８に環状隆起部３４２ｃが挿入されるように、下ケース４にパッケージ３０６を収容した後、上ケース２を下ケース４に合体させることができる。この合体により、環状隆起部３４２ｃと環状隆起部３２４ｃが連結して、収容ケース３０の貫通穴３４０を画成する。
【００４８】
この実施形態の収容ケース３０も第１実施形態の収容ケース１０と同様の操作に従って、パッケージ３０６のポケット６０からトローチを取り出すことができ、また、パッケージ３０６を回転して空のポケット６０をトローチが収容されたポケット６０に置き換えることができる。この際、開口３１２の側辺部３１２ａ及び円形部材２８が、ユーザによるパッケージ３０６の回転動作をアシストして開口３１２の周方向中心位置にトローチが収容されたポケットを位置付けることができる。ユーザは、この実施形態の収容３０ケーの貫通穴３０６に指やストラップを通して収容ケース３０を持つことができる。
【００４９】
＜第４実施形態＞
第４実施形態のパッケージの収容ケース４０を、図２０を参照しながら説明するが、第1実施形態の収容ケース１と同様の構成及び作用についてはその説明を省略する。第１〜第３実施形態では、上ケース２の開口１２（２１２）が、パッケージ６を回転させるための開口（窓）と、ポケットを押圧するための押圧口を兼ねていた。この実施形態の収容ケースは、図２０に示すように、パッケージ６を回転させるための開口４１２と、ポケットを押圧するための押圧口４１０が別々に設けられている。上ケース２の蓋部４２２には、下ケース４の排出口１４と重なる位置に、ポケットよりもわずかに大きな径で円形の押圧口４１０が形成されている。押圧口４１０に対して収容ケースの回転中心Ｘを中心としてポケットのピッチの整数倍（この例では、時計方向に２ピッチ）だけ回転移動した位置に開口４１２の周方向の中心が位置するように開口４１２が形成されている。押圧口４１０と開口４１２がこのような位置関係にあると、押圧口４１０の中心にポケット６０の中心が位置しているときに、開口４１２の周方向中心に別のポケット６０が位置することになる。
【００５０】
ユーザは、押圧口４１０に現れているポケット６０を、押圧口４１０を通じて指で押圧することで、ポケット６０を潰して、排出口１４から押し出されたトローチを取り出すことができる。押圧口４１０に現れているポケット６０が空になると、ユーザは、開口４１２を通じてポケット６０を１ピッチだけ回転する。この動作により、押圧口４１０に現れていた空のポケットが隣のポケット６０と置き換わる。開口４１２の周方向長さについては、第１実施形態で示したような式（１）及び（３）または式（２）及び（４）を満たすことが望ましい。
【００５１】
この実施形態の収容ケース４０でも、開口４１２の側辺部４１２ａ及び円形部材（不図示）が、ユーザによるパッケージ６の回転動作をアシストして開口４１２の周方向中心位置及び押圧口４１０の中心にそれぞれポケット６０を位置付けることができる。
【００５２】
図２０では、開口４１２が、押圧口４１０に対して収容ケースの回転中心Ｘを中心としてポケットの時計方向に２ピッチ分（１２０°）移動した位置に位置していたが、３ピッチ分（１８０°）または４ピッチ分（２４０°）周方向に離れた位置に形成してもよい。
【００５３】
＜第５実施形態＞
第５実施形態のパッケージの収容ケース５０を、図２１を参照しながら説明するが、第1実施形態の収容ケース１と同様の構成及び作用についてはその説明を省略する。
【００５４】
第１実施形態では、上ケース２の蓋部２２の内面２２ｂの中央に、パッケージ６の位置決めのための円形部材２８を配置したが、この実施形態では円形部材の代わりに、上ケース２の蓋部５２２の内面５２２ｂの外周部に沿って位置決め用の周壁５２８を設けた。図２１（Ａ）は、上ケース２の内部の透視図であり、パッケージ６のポケット６０と蓋部５２２の外周部との関係を示しており、周壁５２８の内径ＩＤはパッケージ６の６個のポケット６０が描く円周の径ＯＤよりもわずかに小さい。周壁５２８は、図２１（Ｂ）の断面図に示すように、蓋部５２２の内面５２２ｂから軸方向に直立している。
【００５５】
周壁５２８には、開口５１２の外周部を除いて５つの切り欠き５２８ａが周方向に均一の間隔で形成されている。切り欠き５２８ａは開口５１２の中心のから周方向にピッチの整数倍、すなわち、６０°間隔で形成されている。それゆえ、ポケットが回転中に周壁５２８にポケット６０の側壁６０ｃが付勢されつつも、切り欠き５２８ａの位置で付勢力が小さくまたは無くなる。従って、パッケージ６が回転しているときは、ポケット６０は切り欠き５２８ａに対応する位置に落ち着こうとする。このような作用により、ユーザの回転長さが１ピッチから多小前後したとしても、周壁５２８のポケット６０の側壁に相対する付勢力により、ポケット６０は開口５１２の周方向中心に位置付けられようとする。すなわち、本実施形態でも、ユーザがパッケージ６を回転するときに、開口５１２の側辺部５１２ａと周壁５２８が共働して、ポケット６０を回転終了位置にガイドしている。
【００５６】
周壁５２８は、上ケース２と一体成型で形成することができる。なお、この実施形態でも、開口５１２の側辺部５１２ａの位置を適宜変更して、ユーザのパッケージ６の回転動作中のポケット６０の位置決めは周壁５２８だけで作用させてもよい。
【００５７】
＜第６実施形態＞
第６実施形態のパッケージの収容ケース６５を、図２２（Ａ）及び（Ｂ）を参照しながら説明するが、この収容ケース６５は、第５実施形態の収容ケース５０の変形例であり、第５実施形態の収容ケース１と同様の構成及び作用についてはその説明を省略する。なお、図２２（Ａ）では説明の都合上、ポケット６０の回転開始前の位置を実線で、ポケット６０の回転中の位置を破線で示した。
【００５８】
第５実施形態では、上ケース２の蓋部５２２の内面５２２ｂの外周部に沿って位置決め用の周壁５２８を設けたが、周壁５２８はポケット６０よりも硬質な剛体である場合は、ポケット６０が回転時に周壁５２８に押し付けられるとポケット６０が弾性変形する。この実施形態では、周壁５２８の代わりに自ら変形可能なカンチレバー６２８を用いる。カンチレバー６２８は、開口１２から露出していない３つのポケット６０に対応して設けられる。図２２（Ｂ）に示すように、カンチレバー６２８の基部６２８ａが蓋部６２２の外周縁に固定端として設けられ、その先端６２８ｂは自由端であり、ポケット６０の側面と接触する。カンチレバー６１８は、柔軟なプラスチックなどの薄板から形成されており、その厚み方向に弾性変形可能である。
【００５９】
図２２（Ａ）の矢印方向にパッケージが回転されてポケット６０が仮想線で表した位置に移動しようとすると、カンチレバー６２８は撓んで、その弾性力によりポケット６０を押し戻そうと作用する。ポケットが１ピッチ分だけ回転したときに、カンチレバー６１８の自由端６１８ｂがポケット６０からはじかれるようにカンチレバー６１８の長さが設定されている。それゆえ、矢印の回転方向にパッケージを回転させるときにカンチレバー６１８がポケットに与える付勢力でポケットが所定の位置、すなわち、開口１２の周方向中心に位置付けられるように作用する。
【００６０】
この実施形態では、カンチレバー６２８が柔軟に変形するために、ポケット６０は付勢されるが変形し難い。カンチレバー６２８の作用により、ユーザの回転長さが１ピッチから多小前後したとしても、カンチレバー６２８のポケット６０の側壁に対する付勢力により、ポケット６０は開口１２の周方向中心に位置付けられようとする。すなわち、本実施形態でも、ユーザがパッケージ６を回転するときに、開口６１２の側辺部６１２ａとカンチレバー６２８が共働して、ポケット６０を回転終了位置にガイドしている。
【００６１】
なお、この実施形態でも、開口１２の側辺部１２ａの位置を適宜変更して、ユーザのパッケージ６の回転動作中のポケット６０の位置決めはカンチレバー６２８だけで作用させてもよい。
【００６２】
＜第７実施形態＞
第７実施形態のパッケージの収容ケース７０を、図２３及び図２４を参照しながら説明するが、第1実施形態の収容ケース１と同様の構成及び作用についてはその説明を省略する。
【００６３】
この実施形態の収容ケース７０には、図２３に示すように、ユーザがパッケージ７０６を最初にケース７０を位置決めしながら収容するためのピン７２８が下ケース４に設けられている。ピン７２８は、下ケース４の内面７２２の外周に均一な間隔（１２０°）で３箇所に設けられている。これに対応するように、パッケージ７０６の外周縁には、ポケット６０間の中央の周方向位置に半円状の切り欠き７０８が形成されている。図２４に示すように、ピン７２８は下ケース４の内面７４２ｂから軸方向に直立しており、その高さはケース７０内のパッケージ７０６の基板７６２とほぼ同じかわずかに高い。ピン７２８の高さは、パッケージ７０６を回転したときにパッケージ７０６の基板７６２がピン７２８をわずかな抵抗で乗り越えられるような高さとする。
【００６４】
ユーザは、下ケース２にパッケージ７０６を収容するときに、パッケージ７０６の切り欠き７０８がピン７２８に一致するようにパッケージ７０６を配置することで、下ケース２に対するパッケージ７０６が位置合わせされる。ピン７２８は、最初に、パッケージ７０６が下ケース４に収容されるときの位置合わせとして機能するが、パッケージ７０６を収容ケース７０内で回転するときの位置合わせとしても作用する。それゆえ、本実施形態では、上ケースの円形部材２８を省略してもよい。また、この実施形態の収容ケース７０では、ピン７２８の存在により、第１実施形態で使用した下ケース４の位置合わせマークＷも省くことができる。
【００６５】
＜第８実施形態＞
上記実施形態で用いたパッケージには６個のポケットが設けられていた。例えば、トローチのように一日の服用数として６回が好適な場合もあり、本発明の収容ケースで丁度一日分のトローチを収容することができるので、携帯にも便利であった。しかし、錠剤によって服用数がそれ以上の場合もある。そのような場合に応じて、ポケットの数は６個に限らず任意の数のポケットを設けてもよい。ポケットの回転移動による錠剤の取り出しという観点からすれば、ポケットの数は、６個以上が好ましい。一例として図２５に、８個のポケット８６０を形成したパッケージ８０６を示す。ポケット８６０が周方向に均一に配列しており、１ピッチに相当するポケット間の開き角は４５°である。このようなパッケージ８０６を収容する上ケースの開口を、前述の式（１）及び（３）または式（２）及び（４）に従って形成することが好ましい。円形部材の切り欠きもポケットの数に応じて変更することができる。
【００６６】
上記実施形態では、ポケットが一定の半径の円周上に配列した例を示したが、異なる半径位置の複数の円周上に配列してもよい。その一例として図２６に示すように、パッケージ８１６は、２列の環状ポケット群を有し、内側の円周上に８個の第１ポケット８７０が所定角度で配列されており、それより外側の円周上に第１ポケット８７０と同じ所定角度で８個の第２ポケット８６０が配列されている。第１ポケット８７０は第２ポケット８６０より小径であり、第２ポケット８６０に入る錠剤よりも小さい錠剤を収容することができる。例えば、ユーザが異なる種類の錠剤を同時に服用しなければならないときに、このようなパッケージ８１６を使用することができる。あるいは、同じ錠剤を２個同時に服用する場合には、第１ポケット８７０及び第２ポケット８６０を同じ径にしてもよい。
【００６７】
このような２列のポケット配列のパッケージ８１６を収容する収容ケース８０の概略構造を図２７に示す。収容ケース８０は、開口８１２及び排出口１４並びに円形部材の寸法が第１実施形態の収容ケース１０のそれらと異なる以外は、第１実施形態の収容ケース１０とほぼ同様の構造を有する。この収容ケース８０では、パッケージ８１６の開口８１２から第１ポケット８７０と第２ポケット８６０が同時に露出するように半径方向の寸法が決定されている。開口８１２の周方向の長さは、開口８１２の周方向中心に第１ポケット８７０と第２ポケット８６０がそれぞれ位置するときに第１ポケット８７０と第２ポケット８６０のそれぞれ両側に位置する１組の第１ポケット８７０と第２ポケット８６０の一部が開口８１２から現れるように開口８１２の周方向長さを規定するのが望ましい。特に、第１ポケット８７０と第２ポケット８６０のいずれかまたは両方のポケットの中心が描く円周を基準として、前述の式（１）及び（３）または式（２）及び（４）を満足することが望ましい。
【００６８】
また、下ケースの排出口８１４は、第１ポケット８７０と第２ポケット８６０の錠剤をそれぞれ排出する必要があるので、第１ポケット８７０と第２ポケット８６０が開口８１２の周方向中心に位置するときに、第１ポケット８７０と第２ポケット８６０を投影した領域を包含するような半径方向及び周方向寸法を有する。この場合、排出口８１４を半径方向に二分するブリッジ８１４ａを設けると、第１ポケット８７０と第２ポケット８６０をそれぞれ潰すためにユーザは押圧力をかけやすくなる。円形部材８２８については、第１ポケット８７０と接するような外形を有し、８つの切り欠きを有するように設計される。
【００６９】
＜その他の変形態様＞
上記実施形態では、パッケージの外形は、円形であったが、パッケージが回転中心を有し、ポケットが回転対称位置に設けられていればよく、すなわち、回転中心の周りに所定ピッチで配列されていればよく、外形は任意の形状にし得る。例えば、パッケージの外形は多角形であってもよい。例えば、図２８に示すような１２角形のパッケージ９０６でもよい。パッケージが収容ケース内でユーザの指の操作により回転するという本発明の特徴を損なわない範囲であれば、６角形以上の多角形であり、その頂部は接触抵抗を減らすべく、丸められた形状でもよい。例えば、図２９に示すような異形の多角形状を有するパッケージ９２６でもよい。さらには、図３０に示すように、外周の一部に切り欠きやオリエンテーションフラット９５０を有するほぼ円形のパッケージ９４６でもよい。また、パッケージに設けられるポケットの形状は、円形（円筒）に限らず、三角や四角形や高角形でもよい。ポケットの側面（側壁）はパッケージの表面に対して垂直のみならず、鋭角で傾斜していてもよい（断面が台形）。
【００７０】
上記実施形態では、物品として錠剤を例に挙げて説明したが、錠剤に限らず、前述のように錠剤以外の医薬品、キャンディやガムのような食品（健康食品を含む）、化粧品、洗浄剤のような化学品であってもよい。それらの物品の形態は、錠剤のような固体に限らず、ゼリーのような半固体、液体であってもよい。また、コンタクトレンズのような固体を収容する場合にはポケットには液体を固体と共に充填してもよい。
【００７１】
上記実施形態では、開口１２は扇形であったが、周方向に延在する楕円形など任意の形状にし得る。特に半径方向の側辺部１２ａ（５１２ａ、８１２ａなど）は半径方向と平行な直線のみならず、半径方向に対して傾斜した方向に延在する直線でもよい。また曲線でもよい。いずれの場合でも周方向長さ及び開き角θは、周方向に配列するポケットの中心Ｏ’で描かれる円（円周）が開口１２によって分断される長さ及び角度とする。
【００７２】
上ケース２及び下ケース４の外形は、平面視で円形であったが、上ケース２及び下ケース４の内部でパッケージを回転させることができれば、上ケース２及び下ケース４の外形は、四角、楕円など任意の形状にし得る。一方、上ケース２及び下ケース４の内部空間、すなわち、周壁２４，４４で囲まれる空間の中心軸を切断する断面は、パッケージを回転させるとともにケース自体をコンパクトにするためには、円形であることが望ましい。例えば、図３１に示すように、ケース本体１０１の外形が四角形状で、内部空間９７０が円形状であるケース９０でもよい。
【００７３】
上ケース２及び下ケース４は、収容されたパッケージのポケットが潰れていないか、すなわち、ポケットが空かどうかを視認するために一部または全部を透明材料から形成してもよい。
【００７４】
本発明の収容ケースについて、上記実施形態により具体的に説明してきたが、本発明はそれらに限定されるものではない。上記実施形態に現れる一つまたは複数の特徴を適宜組み合わせてもよい。例えば、第８実施形態で例示したパッケージを第２実施形態〜第７実施形態の収容ケースに収容させることができる。この場合、上ケースの開口及び円形部材の寸法を適宜変更すればよい。また、第３実施形態の収容ケースに第８実施形態で例示したパッケージを適用する場合には、パッケージの中央に貫通穴を設ければよい。また、第４実施形態の収容ケースに、第５〜第７実施形態で示した位置決め部材を適用することもできる。
【００７５】
各実施形態では、開口の側辺部の周方向長さと円形部材などの位置決め部材により、物品（錠剤）パッケージの回転時のポケットの位置決めを行ったが、前述のように、開口の側辺部の周方向長さと円形部材などの位置決め部材の一方だけを用いて物品（錠剤）パッケージの回転時のポケットの位置決めを行うことができる。
【産業上の利用可能性】
【００７６】
本発明の収容するケースは、パッケージに収容された錠剤など物品を使用一分ずつ取り出すのに好適であり、携帯にも便利である。時に物品が錠剤などの医薬品、従来取り扱いや持ち運びが不便であったパッケージを安全に且つ容易に取り出せるように収容することができ、携帯に便利である。それゆえ、ユーザが錠剤を定期的に服用することを促進し、これによって国民の健康維持に貢献することができる。
【符号の説明】
【００７７】
１,  １０１  ケース本体
２  上ケース
４  下ケース
６,  ３０６,  ７０６,  ８０６,  ８１６，  ９０６,  ９２６,  ９４６  パッケージ
８  ヒンジ
１２,  ２１２，３１２,  ４１２，５１２,  ８１２  開口
１０,  ２０,  ３０,  ４０,  ５０,  ６５,  ７０,  ８０,  ９０  収容ケース
１４,  ８１４  排出口
２８  円形部材
２２  蓋部
２４  周壁
２６  上鍔
４２  底部
４６  下鍔
６０,  ８６０,  ８７０  ポケット
６２  基板
１００  トローチ（錠剤）
４１０  押圧口  
３４０  貫通穴
５２８  位置決め周壁
６２８  カンチレバー
７０８  切り欠き
７２８  ピン
【図１】
2012133357.tif 000003
【図２】
2012133357.tif 000004
【図３】
2012133357.tif 000005
【図４】
2012133357.tif 000006
【図５】
2012133357.tif 000007
【図６】
2012133357.tif 000008
【図７】
2012133357.tif 000009
【図８】
2012133357.tif 000010
【図９】
2012133357.tif 000011
【図１０】
2012133357.tif 000012
【図１１】
2012133357.tif 000013
【図１２】
2012133357.tif 000014
【図１３】
2012133357.tif 000015
【図１４】
2012133357.tif 000016
【図１５】
2012133357.tif 000017
【図１６】
2012133357.tif 000018
【図１７】
2012133357.tif 000019
【図１８】
2012133357.tif 000020
【図１９】
2012133357.tif 000021
【図２０】
2012133357.tif 000022
【図２１】
2012133357.tif 000023
【図２２】
2012133357.tif 000024
【図２３】
2012133357.tif 000025
【図２４】
2012133357.tif 000026
【図２５】
2012133357.tif 000027
【図２６】
2012133357.tif 000028
【図２７】
2012133357.tif 000029
【図２８】
2012133357.tif 000030
【図２９】
2012133357.tif 000031
【図３０】
2012133357.tif 000032
【図３１】
2012133357.tif 000033
【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
パッケージを収容する収容ケースであって、
回転中心を有し、該回転中心の周りに所定ピッチで配列されたポケットに物品を収容して破断可能なフィルムで該ポケットを封止したパッケージと、
前記パッケージを収容する上ケース及び下ケースと、
前記上ケース及び前記下ケースを開閉可能に接続する接続部と、
前記収容ケースに収容されたパッケージの所定のポケットを指で押圧するために上ケースに形成された押圧口と、
前記所定のポケットから押し出された物品を収容ケースから排出するために押圧口に対応して下ケースに形成された排出口と、
前記ポケットに指で接してパッケージを回転させるために上ケースに形成され、且つ前記排出口よりも大きな開口とを備え、
前記開口の周方向の開き角θは、下記式：
２α−β≦θ≦２α
（式中、αはピッチに対応する開き角、β／２はポケットの半径に対応する開き角である）を満たし、
前記開口が前記押圧口と共通であり、前記開口を通じてパッケージが回転され、前記開口の周方向中央に位置するポケットが押圧されて排出口から取り出されることを特徴する収容ケース。
【請求項２】
前記開口の周方向の開き角が、少なくとも前記所定ピッチに対応する開き角以上であることを特徴とする請求項１に記載の収容ケース。
【請求項３】
（削除）
【請求項４】
前記ポケットに接触して記ポケットを前記排出口に対応する所定位置に位置付けるための位置決め部材が上ケースまたは下ケースに設けられていることを特徴とする請求項１または２のいずれか一項に記載の収容ケース。
【請求項５】
前記ポケットが弾性変形可能な材料から形成されており、前記位置決め部材は、パッケージが回転されたときに、前記ポケットが前記所定位置に達するまでポケットを付勢するように上ケースまたは下ケースに位置付けられていることを特徴とする請求項４に記載の収容ケース。
【請求項６】
前記位置決め部材は、上ケースの内面の中央に設けられ、周方向に複数の切り欠きが形成された円形部材であることを特徴とする請求項５に記載の収容ケース。
【請求項７】
前記位置決め部材は、上ケースの内側面に、上ケースの中央に向かって突出した設けられた隆起部であることを特徴とする請求項５に記載の収容ケース。
【請求項８】
前記位置決め部材は、上ケースの外周部から中央に向かって延在する弾性変形可能な薄板状部材であり、パッケージが回転されたときに薄板状部材の先端が前記ポケットを付勢することを特徴とする請求項５に記載の収容ケース。
【請求項９】
前記位置決め部材は、下ケースの底面に突出した設けられた突起であり、パッケージに切り欠きまたは孔が形成されており、突起がパッケージの切り欠きまたは孔と係合することを特徴とする請求項５に記載の収容ケース。
【請求項１０】
前記開口が扇形であり、扇形の半径部分は、パッケージが回転されるときの停止位置を規定することを特徴する請求項１、２、４〜９のいずれか一項に記載の収容ケース。
【請求項１１】
（削除）
【請求項１２】
前記開口の中心と前記押圧口の中心とは、周方向にピッチの整数倍離れて形成されていることを特徴する請求項１、２、４〜１０のいずれか一項に記載の収容ケース。
【請求項１３】
前記下ケースの排出口を画成する下ケースの内面が上ケースに向かって筒状に隆起している請求項１、２、４〜１０、及び１２のいずれか一項に記載の収容ケース。
【請求項１４】
６個のポケットが６０°角度を隔てて周方向に配列しており、前記開口の中央に押圧口が存在し、開口の開き角が９０°〜１２０°の範囲内の角度である請求項５〜１０のいずれか一項に記載の収容ケース。
【請求項１５】
前記物品が、医薬品、食品、化粧品または化学品である請求項１、２、４〜１０、１２〜１４のいずれか一項に記載の収容ケース。
【国際調査報告】
2012133357.tif 000034
2012133357.tif 000035